(57)【要約】【課題】  既存の照明器具に装着でき、広い範囲から光を出射することができるＬＥＤランプセットを提供する。【解決手段】  ＬＥＤランプセットは、蛍光灯を取り付け可能な照明器具９に取り付けられるＬＥＤランプセットであって、光源としてのＬＥＤ素子を複数個備えるＬＥＤランプ１と、ＬＥＤランプ１と別体であってＬＥＤ素子に点灯電力を供給する電源ユニット３と、ＬＥＤランプ１と電源ユニット３とを電気接続するランプ側ケーブル３１７と、電源ユニット３と商用電源側とを電気接続する器具側ケーブル３１８とを備える。【選択図】図１
2018195460.tif 000002
【特許請求の範囲】
【請求項１】
蛍光灯を取り付け可能な照明器具に取り付けられるＬＥＤランプセットであって、
光源としてのＬＥＤ素子を複数個備えるＬＥＤランプと、
前記ＬＥＤランプと別体であって前記ＬＥＤ素子に点灯電力を供給する電源ユニットと、
前記ＬＥＤランプと前記電源ユニットとを電気接続するランプ側ケーブルと、
前記電源ユニットと商用電源側とを電気接続する器具側ケーブルと
を備えるＬＥＤランプセット。
【請求項２】
前記ＬＥＤランプは、
複数個の前記ＬＥＤ素子を電気的に接続する複数個の導電片と、
複数個の前記ＬＥＤ素子と前記複数個の導電片とを収容し且つ透光性材料から構成されるバルブ体と
を備える
請求項１に記載のＬＥＤランプセット。
【請求項３】
前記電源ユニットは、前記照明器具における前記蛍光灯が取り付けられる側に、着脱自在に取り付けるための取付具を有する
請求項１又は２に記載のＬＥＤランプセット。
【請求項４】
前記取付具は磁石を備える
請求項３に記載のＬＥＤランプセット。
【請求項５】
前記電源ユニットは給電用の電子部品を実装する回路基板を有し、
前記磁石は前記回路基板に対して前記照明器具側に配され、
前記回路基板における前記照明器具と反対側の面に常夜灯用のＬＥＤが設けられている
請求項４に記載のＬＥＤランプセット。
【請求項６】
前記回路基板における前記常夜灯が設けられている側の面に、前記ＬＥＤ素子の点灯に関する情報を受信する受光素子が設けられている
請求項５に記載のＬＥＤランプセット。
【発明の詳細な説明】
【技術分野】
【０００１】
本発明は、蛍光灯を取り付け可能な照明器具に取り付けられるＬＥＤランプセットに関する。
【背景技術】
【０００２】
近年、省電力・長寿命なＬＥＤ素子を光源に用いたＬＥＤランプの普及が進んでいる。それに伴い、既存の丸形蛍光灯を代替するＬＥＤランプも提案されている（例えば特許文献１）。
特許文献１に記載のＬＥＤランプは、帯状部と櫛歯状部とを有する金属製のプリント基板を円環状に屈曲させ、各櫛歯状部を、帯状部に対して所定の角度を有する斜面部と、帯状部に対して略垂直な水平部と、帯状部に対して略平行な後端部とを有するように三段階に屈曲加工する。放熱パッド部と電源供給パターンとを有するパターンをプリント基板に形成し、一の櫛歯状部の斜面部上の電源供給パターンと、この一の櫛歯状部に隣接する櫛歯状部の水平部上の電源供給パターンとに交互にＬＥＤ素子の電極を接触させ、放熱パッド部にＬＥＤ素子の放熱端子を接触させて複数のＬＥＤ素子を取り付ける。帯状部の内面側に帯状部と略同幅の円環状の放熱板を取り付ける。ＬＥＤ素子と放熱板が取り付けられたプリント基板と電源基板とを上ケース及び下ケース内に収納する。
【先行技術文献】
【特許文献】
【０００３】
【特許文献１】特開２０１２−８９４５０号公報
【発明の概要】
【発明が解決しようとする課題】
【０００４】
しかしながら、特許文献１に記載のＬＥＤランプは、上ケースと下ケース内に電源基板（回路）を収容しているため、電源基板部分から光が出射されず、非発光部となってしまう。
本発明は、既存の照明器具に装着でき、広い範囲から光を出射することができるＬＥＤランプセットを提供することを目的とする。
【課題を解決するための手段】
【０００５】
本発明に係るＬＥＤランプセットは、蛍光灯を取り付け可能な照明器具に取り付けられるＬＥＤランプセットであって、光源としてのＬＥＤ素子を複数個備えるＬＥＤランプと、前記ＬＥＤランプと別体であって前記ＬＥＤ素子に点灯電力を供給する電源ユニットと、前記ＬＥＤランプと前記電源ユニットとを電気接続するランプ側ケーブルと、前記電源ユニットと商用電源側とを電気接続する器具側ケーブルとを備える。
【発明の効果】
【０００６】
上述の構成によれば、電源ユニットをＬＥＤランプと別に備えているため、光源としてのＬＥＤ素子を広い範囲で配することができる。
【図面の簡単な説明】
【０００７】
【図１】シェードを取り外した状態の照明器具を表側から見た図である。
【図２】（ａ）は実施形態に係るＬＥＤランプを表側から見た斜視図であり、（ｂ）はＬＥＤランプを裏側から見た斜視図である。
【図３】ＬＥＤランプを分解して半分に切断した状態を表側から見た斜視図である。
【図４】ＬＥＤランプを分解して半分に切断した状態を裏側から見た斜視図である。
【図５】ＬＥＤランプの横断面図の拡大図である。
【図６】裏バルブの一部に光源モジュールを取り付けた状態を表側から見た斜視図である。
【図７】裏バルブに光源モジュールを取り付け且つ裏バルブの一部に支持部材を取り付けた状態を表側から見た斜視図である。
【図８】裏バルブの一部に光源モジュールを取り付けた状態を表側から見た図である。
【図９】裏バルブに光源モジュールを取り付け且つ裏バルブの一部に支持部材を取り付けた状態を表側から見た図である。
【図１０】（ａ）は光源モジュールの一部を表側から見た図であり、（ｂ）は光源モジュールの一部を裏側から見た図である。
【図１１】ＬＥＤランプからカバーを取り外した状態の断面を裏側から見た斜視図である。
【図１２】（ａ）はＬＥＤランプを支持部材の連結部付近で切断した状態を裏側から見た斜視図であり、（ｂ）はＬＥＤランプを支持部材の連結部付近で切断した状態を裏側から見た斜視図である。
【図１３】（ａ）はＬＥＤランプを支持部材の連結部付近で周方向に切断した状態を外周壁側から見た斜視図であり、（ｂ）はＬＥＤランプを支持部材の連結部付近で周方向に切断した状態を内周壁側から見た斜視図である。
【図１４】（ａ）は表バルブと裏バルブとを分離させて第２表内側結合部付近で切断した状態を表側であって径方向の外側から見た斜視図であり、（ｂ）は表バルブと裏バルブとを分離させて第２表内側結合部付近で切断した状態を裏側であって径方向の内側から見た斜視図である。
【図１５】（ａ）は実施形態に係る電源ユニットを表側から見た斜視図であり、（ｂ）は電源ユニットを裏側から見た斜視図である。
【図１６】電源ユニットの分解状態を表側から見た斜視図である。
【図１７】電源ユニットの分解状態を裏側から見た斜視図である。
【図１８】電源ユニットの断面図である。
【図１９】電源ユニットから表筐体を取り外して回路基板の一部を除去した状態を反転させて見た斜視図である。
【図２０】ＬＥＤランプを照明器具に取り付けた状態の固定ホルダの周辺の拡大斜視図である。
【図２１】（ａ）は実施形態に係る固定具を裏側から見た斜視図であり、（ｂ）は固定具の側面図である。
【図２２】（ａ）は実施形態に係るアダプタを裏側から見た斜視図であり、（ｂ）はアダプタを表側から見た斜視図である。
【図２３】（ａ）はアダプタの正面図であり、（ｂ）はアダプタを表側から見た図である。
【図２４】他のタイプの照明器具にＬＥＤランプを取り付けた状態を示す図である。
【発明を実施するための形態】
【０００８】
＜概要＞
実施形態の一態様に係るＬＥＤランプセットは、蛍光灯を取り付け可能な照明器具に取り付けられるＬＥＤランプセットであって、光源としてのＬＥＤ素子を複数個備えるＬＥＤランプと、前記ＬＥＤランプと別体であって前記ＬＥＤ素子に点灯電力を供給する電源ユニットと、前記ＬＥＤランプと前記電源ユニットとを電気接続するランプ側ケーブルと、前記電源ユニットと商用電源側とを電気接続する器具側ケーブルとを備える。これにより、ＬＥＤランプを軽量化でき、照明器具に作用する負荷を軽減できる。
実施形態の別態様に係るＬＥＤランプセットにおいて、前記ＬＥＤランプは、複数個の前記ＬＥＤ素子を電気的に接続する複数個の導電片と、複数個の前記ＬＥＤ素子と前記複数個の導電片とを収容し且つ透光性材料から構成されるバルブ体とを備える。これにより、ＬＥＤランプを安価に製造できる。
実施形態の別態様に係るＬＥＤランプセットにおいて、前記電源ユニットは、前記照明器具における前記蛍光灯が取り付けられる側に、着脱自在に取り付けるための取付具を有する。これにより、容易に電源ユニットを照明器具に取り付けることができる。
実施形態の別態様に係るＬＥＤランプセットにおいて、前記取付具は磁石を備える。これにより、簡単な構造で電源ユニットを構成できる。
実施形態の別態様に係るＬＥＤランプセットにおいて、前記電源ユニットは給電用の電子部品を実装する回路基板を有し、前記磁石は前記回路基板に対して前記照明器具側に配され、前記回路基板における前記照明器具と反対側の面に常夜灯用のＬＥＤが設けられている。これにより、電源ユニットの回路構成を簡単にできる。
実施形態の別態様に係るＬＥＤランプセットにおいて、前記回路基板における前記常夜灯が設けられている側の面に、前記ＬＥＤ素子の点灯に関する情報を受信する受光素子が設けられている。これにより、電源ユニットの回路構成を簡単にできる。
【０００９】
＜実施形態＞
実施形態では、固定式の給電端子と固定ホルダとを利用して丸型蛍光灯を固定するようにした照明器具にＬＥＤランプを取り付ける場合を説明する。つまり、給電端子の一例であるＧ１０ｑ端子、固定ホルダの一例の形状が「Ｃ」字状である照明器具に対して固定具やアダプタを利用してＬＥＤランプを取り付ける形態について説明する。
【００１０】
１．全体
概要
主に図１を用いて説明する。
ＬＥＤランプ１は照明器具９に着脱自在に取り付けられる。ＬＥＤランプ１は電源ユニット３を介して照明器具９側に電気的に接続される。ＬＥＤランプ１の固定は複数個の固定具５（５Ａ，５Ｂ）とアダプタ７（図ではＬＥＤランプ１のため現れていない）を利用して行われる。具体的には、ＬＥＤランプ１に固定された固定具５Ａが照明器具９の固定ホルダ９３に固定され、ＬＥＤランプ１に固定された固定具５Ｂが照明器具９のＧ１０ｑ端子９４に接続されたアダプタ７に固定される。
なお、上記説明は、固定具５Ａ，５ＢがＬＥＤランプ１に固定されていたが、例えば、照明器具９に固定された固定具５Ａ，５ＢにＬＥＤランプ１を固定してもよいし、ＬＥＤランプ１側に取付けられたアダプタ７を照明器具９のＧ１０ｑ端子９４に接続してもよい。つまり、ＬＥＤランプ１の照明器具９への固定に際し、その順序は特に限定するものではない。
ここで、ＬＥＤランプ１から光を出射する方向（側)を表側とし、光を出射する方向（側）と反対方向（側）を裏側とする。丸形のＬＥＤランプ１の径方向を単に「径方向」とし、ＬＥＤランプ１の周方向を単に「周方向」とする。
以下、各部、各ユニットについて説明する。
【００１１】
２．照明器具
図１を用いて説明する。
照明器具９は、中央に開口９１を有するベース９２と、ベース９２に設けられた「Ｃ」字状の固定ホルダ９３と、ベース９２に設けられたＧ１０ｑ端子９４と、ベース９２を設置面のシーリングに取り付けられるシーリングアダプタ(図示省略）と、ベース９２に設けられる常夜灯９５と、ベース９２に着脱自在に取り付けられるシェード（図示省略）とを備える。
なお、照明器具９は、２本の丸型蛍光灯を同心円状に取り付け可能であり、図１では外側の取付領域にＬＥＤランプ１を取り付けている。このため、ＬＥＤランプ１の固定具５を固定するための固定ホルダ９３及びＧ１０ｑ端子９４の一組は、ＬＥＤランプ１により隠れている。
【００１２】
３．ＬＥＤランプ
（１）概要
図１〜図５を用いて説明する。
ＬＥＤランプ１は光源である発光素子としてＬＥＤ素子を複数個備える。
ＬＥＤランプ１は、光源モジュール１０と、光源モジュール１０を収容するバルブ体１１とを備える。なお、ここでのバルブ体１１は環状（例えば円環状）をしている。
ここでのバルブ体１１は複数の部材により構成されている。バルブ体１１は、光源モジュール１０の光の出射方向側に位置する表バルブ１２と、裏側に位置する裏バルブ１４との２部材により構成されている。
ＬＥＤランプ１はバルブ体１１内に支持部材１７を収容する。光源モジュール１０はバルブ体１１における表裏方向の中央よりも裏側に配され、表側から支持部材１７により支持される。
ＬＥＤランプ１は、光源モジュール１０へ給電するためのランプ側ケーブル３１７用の貫通孔をバルブ体１１に有し、電気接続部分を覆うカバー１８をバルブ体１１に備える。
以下、各部について詳細に説明する。
【００１３】
（２）光源モジュール
図３〜図１０、主に図１０を用いて説明する。
光源モジュール１０は、複数個のＬＥＤ素子１０１と、これらを搭載する搭載体１０３を備える。ＬＥＤ素子１０１は、複数個（例えば３個）のＬＥＤ素子１０１を並列接続し、これら３個の並列接続群を直列接続した、いわゆる直並列接続されている。
【００１４】
搭載体１０３は全体として円環板状をしている。搭載体１０３は複数個の導電片１０５により構成されている。複数個の導電片１０５は、円環板状における内側に位置する内側導電片１０７と、円環板状における外側に位置する外側導電片１０８との２種類がある。ここでの内側導電片１０７及び外側導電片１０８は円弧状をしている。内側導電片１０７及び外側導電片１０８は薄肉の金属板により構成されている。
外側導電片１０８は周方向（導電片１０５の長手方向でもある）に例えば６個のＬＥＤ素子１０１を実装できる長さを有している。内側導電片１０７は、周方向に例えば６個のＬＥＤ素子１０１を実装できる長さを有する導電片と、周方向に例えば３個のＬＥＤ素子１０１を実装できる長さを有する導電片の２種類がある。長い方の導電片を内側導電片１０７Ａとし、短い方の導電片を内側導電片１０７Ｂ，１０７Ｃとする。内側導電片を区別する必要がない場合、符号「１０７」を用いる。
内側導電片１０７同士、外側導電片１０８同士、並びに内側導電片１０７及び外側導電片１０８は離間している。
【００１５】
内側導電片１０７Ａと外側導電片１０８は周方向にズレた状態で配される。ここでは、内側導電片１０７Ａと外側導電片１０８の周方向の長さの半分の長さ分がズレている。換言すると、１つの内側導電片１０７Ａは２つの外側導電片１０８と周方向に半分が重なるように配されている。
内側導電片１０７Ａの外周縁は段差状をし、外側導電片１０８の内周縁は段差状としている。段差において、径方向の外方側に位置する部分を高段部分とし、径方向の内方側に位置する部分を低段部分とする。
内側導電片１０７Ａの高段部分が外側導電片１０８の高段部分と対向するように配されている。
内側導電片１０７Ａと外側導電片１０８との対向する段差部分であってＬＥＤ素子１０１が実装される部分のどちらか一方が相手側に張り出す張出部１０８ａ，１０７ａを有している。ここでは、図１０の（ｂ）に示すように、内側導電片１０７Ａは低段部分に張出部１０７ａを有し、外側導電片１０８は高段部分に張出部１０８ａを有する。
【００１６】
内側導電片１０７Ｃ，１０７Ｂは、１つの内側導電片１０７Ａを周方向の半分で切断した際の各片と同じような形状をしている。内側導電片１０７Ｂ，１０７Ｃは周方向に隣接して１組として配され、ここでは、３組あり、この３組が周方向に１２０［度］間隔で配されている。
３組のうちの１組の内側導電片１０７Ｂ，１０７Ｃは、図９に示すように、ランプ側ケーブル３１７が接続され、互いに離間している。なお、ランプ側ケーブル３１７との接続部分の図示は省略している。
３組のうちの２組の内側導電片１０７Ｂ，１０７Ｃの一方は、図１０の（ａ）に示すように、相手側に延伸する延伸部を有している。ここでは、高段部分側の内側導電片１０７Ｃにおける内側導電片１０７Ｂ側の端部に延伸部１０７ｂが設けられている。これにより、一対のランプ側ケーブル３１７に１つの導電路が形成される。
【００１７】
内側導電片１０７と外側導電片１０８にはＬＥＤ素子１０１が接続される。つまり、ＬＥＤ素子１０１の一方の電極が内側導電片１０７及び外側導電片１０８の一方に接続され、ＬＥＤ素子１０１の他方の電極が内側導電片１０７及び外側導電片１０８の他方に接続される。ここでのＬＥＤ素子１０１は、内側導電片１０７と外側導電片１０８との隙間を跨ぐように、配されている。より具体的には、ＬＥＤ素子１０１を表側から見ると矩形状をし、その長手方向が円環板状の径方向となるように、ＬＥＤ素子１０１が配されている。ＬＥＤ素子１０１は例えばはんだにより内側導電片１０７及び外側導電片１０８に電気的及び機械的に接続される。
【００１８】
（３）裏バルブ
図３〜図９を用いて説明する。
裏バルブ１４は横断面形状が半円状又は半円に似た形状をしている（図５参照）。裏バルブ１４は透光性樹脂材料により構成されている。
裏バルブ１４は光源モジュール１０が配されるモジュール配置領域１４１を有している。モジュール配置領域１４１は裏バルブ１４の内面であって裏側に位置する平坦部分により構成される。平坦部分は光源モジュール１０の裏面の全領域が当接可能な大きさを有している。これにより、光源モジュール１０の発光中の熱を放出しやすくなる。
【００１９】
図６及び図８に示すように、裏バルブ１４は光源モジュール１０の径方向への位置ズレを規制する径方向位置規制部１４２を有している。一例としての径方向位置規制部１４２は、モジュール配置領域１４１の内周端に形成された径方向内位置規制部１４３と、モジュール配置領域１４１の外周端に形成された径方向外位置規制部１４４との少なくとも一方を有する。ここでは、径方向位置規制部１４２は径方向内位置規制部１４３と径方向外位置規制部１４４とを有する。径方向内位置規制部１４３及び径方向外位置規制部１４４は表側に突出する凸条形状をしている。径方向内位置規制部１４３及び径方向外位置規制部１４４は周方向に間隔をおいて複数個所に存在する。
なお、搭載体１０３は、離間状態の複数個の導電片１０５をＬＥＤ素子１０１で連結する構造を有するため、内外方向の寸法差があり、径方向位置規制部１４２と光源モジュール１０との間に少し隙間が存在する。
【００２０】
図６及び図８に示すように、裏バルブ１４は光源モジュール１０の周方向への位置ズレを規制する周方向位置規制部１４５を有している。一例としての周方向位置規制部１４５はモジュール配置領域１４１内であって径方向に延伸する状態で形成されている。周方向位置規制部１４５はモジュール配置領域１４１から表側に突出する凸条形状をしている。周方向位置規制部１４５は、周方向に隣接する導電片１０５間に位置するように、寸法構成されている。周方向位置規制部１４５は周方向に間隔を置いて複数個設けられている。ここでは、周方向位置規制部１４５は３個ある。
【００２１】
図６及び図８に示すように、裏バルブ１４は表裏方向に延伸するリブ部１４６を周方向に間隔をおいて複数個有している。一例としてのリブ部１４６は、内周壁に形成された内リブ部１４７と、外周壁に形成された外リブ部１４８との少なくとも一方を有する。ここでは、リブ部１４６は内リブ部１４７と外リブ部１４８の両方を有する。
【００２２】
図６及び図８に示すように、内リブ部１４７は径方向内位置規制部１４３の周方向の両端に連続するように形成されている。つまり、表側から裏バルブ１４を見ると、内リブ部１４７と径方向内位置規制部１４３とで内周壁から外周壁に向かって「コ」字状に突出する。
表側から見たときの「コ」字状を構成する一方の内リブ部１４７（図６において「１４７ａ」で示す。）と当該「コ」字状に周方向に隣接する他の「コ」字状を構成し且つ前記一方の内リブ部１４７ａに対向（近接して隣接）する内リブ部１４７（図６において「１４７ｂ」で示す。）との間に位置する部分１４ｄの内径は、「コ」字状を構成する一対の内リブ部１４７間に存在する部分１４ｅの内径より小さくなっている。
換言すると、周方向に隣接する「コ」字状を構成する対向する内リブ部１４７ａ，１４７ｂ間に位置する部分１４ｄの厚みが、１つの「コ」字状を構成する一対の内リブ部１４７間に位置する部分１４ｅの厚みより薄くなっている。
これにより、図１２に示すように、表バルブ１２と裏バルブ１４との突き合わせ部分で段差ができ、この段差を構成する表バルブ１２の裏側端により支持部材１７の支持部材内位置規制部１７８の表側端が支持される。
【００２３】
図６及び図８に示すように、外リブ部１４８は径方向外位置規制部１４４の周方向の両端に連続するように形成されている。つまり、表側から裏バルブ１４を見ると、外リブ部１４８と径方向外位置規制部１４４とで外周壁から内周壁に向かって「コ」字状に突出する。
表側から見たときの「コ」字状を構成する一方の外リブ部１４８（図６において「１４８ａ」で示す。）と当該「コ」字状に周方向に隣接する他の「コ」字状を構成し且つ前記一方の外リブ部１４８ａに対向（近接して隣接）する外リブ部１４８（図６において「１４８ｂ」で示す。）との間に位置する部分１４ｆの内径は、「コ」字状を構成する一対の外リブ部１４８間に存在する部分１４ｇの内径より大きくなっている。
換言すると、周方向に隣接する「コ」字状を構成する対向する外リブ部１４８ａ，１４８ｂ間に位置する部分１４ｆの厚みが、１つの「コ」字状を構成する一対の外リブ部１４８間に位置する部分１４ｇの厚みより薄くなっている。
これにより、図１２に示すように、表バルブ１２と裏バルブ１４との突き合わせ部分で段差ができ、この段差を構成する表バルブ１２の裏側端により支持部材１７の支持部材外位置規制部１７９の表側端が支持される。
【００２４】
バルブ体１１は表バルブ１２と裏バルブ１４との位置決めを行うバルブ位置決め部を有している。裏バルブ１４はバルブ位置決め部を構成するバルブ裏位置決め部１５０を有している。一例としてのバルブ裏位置決め部１５０は、図８及び図１２に示すように、内周壁における表側端に形成されたバルブ裏内位置決め部１５１と、外周壁における表側端に形成されたバルブ裏外位置決め部１５２との少なくとも一方を有する。ここでは、バルブ裏位置決め部１５０はバルブ裏内位置決め部１５１とバルブ裏外位置決め部１５２の両方を有する。
裏バルブ１４と表バルブ１２との位置決めは、凸部と凹部（溝）との嵌合構造を利用している。ここでは、バルブ裏内位置決め部１５１及びバルブ裏外位置決め部１５２は表側に突出する凸条形状をし、後述の表バルブ１２の溝状のバルブ表内位置決め部１２１及びバルブ表外位置決め部１２２に嵌る。なお、バルブ裏位置決め部１５０は内周壁及び外周壁の表側端面に存在する。
【００２５】
バルブ体１１は、図６〜図９に示すように、裏バルブ１４と表バルブ１２とを結合するためのバルブ結合手段を有している。一例としてのバルブ結合手段は、固定具を利用した第１結合手段と、係合構造を利用した第２結合手段の両方を有する。ここでの固定具は、ねじ体１９１(図３、図４等参照）が利用される。
【００２６】
裏バルブ１４は第１結合手段を構成する第１裏結合部１５３を有している。第１裏結合部１５３は貫通孔により構成される。なお、貫通孔の符号も１５３を用いる。貫通孔１５３は内周壁の該当部位が内側に突出する突出部１５４の底板部分１５５に形成されている。
ねじ体１９１のねじ部は貫通孔１５３を裏側から挿通し、底板部分１５５の裏側にねじ体１９１の頭部が位置する。なお、ねじ体１９１のねじ部は、表バルブ１２の第１表結合部１２６であるねじ穴に螺合する（図４参照）。
第１裏結合部１５３は周方向に間隔をおいて複数個設けられている。ここでは、第１裏結合部１５３は５個ある。
【００２７】
裏バルブ１４は第２結合手段を構成する第２裏内側結合部１５６及び第２裏外側結合部１５７の少なくとも一方を有している。ここでは、裏バルブ１４は第２裏内側結合部１５６及び第２裏外側結合部１５７の両方を有する。
第２裏内側結合部１５６は、図１４の（ａ）に示すように、内周壁の表側端から内周壁の厚み方向に突出する凸部分１５６ａを有する係合部より構成される。第２裏内側結合部１５６は、内周壁の表側端部から表側に延出する延出板部分１５６ｂと、延出板部分１５６ｂにおける周方向の中間に形成された薄肉部分１５６ｃと、薄肉部分１５６ｃの内面から内側に突出する凸部分１５６ａとを備える。凸部分１５６ａの内面は表側端から裏側に移るにしたがって内側への突出量が大きくなる傾斜面となっている。凸部分１５６ａの表裏方向と直交する平坦面となっている。なお、延出板部分１５６ｂの先端は第２表内側結合部１２７の凸部分１２７ａの両側の溝１２１に嵌る。
第２裏内側結合部１５６は周方向に間隔をおいて複数個設けられている。ここでは、第２裏内側結合部１５６は４個ある。
【００２８】
第２裏外側結合部１５７は、図６に示すように、外周壁の表側端部内面に設けられている。第２裏外側結合部１５７は上述の第２裏内側結合部１５６と同じ構成を有している。つまり、第２裏外側結合部１５７は、第２裏内側結合部１５６の凸部分１５６ａを外向きとなるように、第２裏内側結合部１５６を反転させて外周壁に設けたような構成を有している。換言すると、第２裏外側結合部１５７は外周壁の厚み方向に突出する凸部分１５７ａを有する係合部より構成される。第２裏外側結合部１５７は、外周壁の表側端部から表側に延出する延出板部分１５７ｂと、延出板部分１５７ｂにおける周方向の中間に形成された薄肉部分の内面から内側に突出する凸部分１５７ａとを備える。凸部分１５７ａの内面は表側端から裏側に移るにしたがって突出量が大きくなる傾斜面となっている。凸部分１５７ａの表裏方向と直交する平坦面となっている。なお、延出板部分１５７ｂの先端は第２表外側結合部１２８の凸部分１２８ａの両側の溝１２２に嵌る。
第２裏外側結合部１５７は周方向に間隔をおいて複数個設けられている。ここでは、第２裏外側結合部１５７は４個ある。
【００２９】
バルブ体１１は光源モジュール１０に給電するためのランプ側ケーブル３１７用の貫通孔１５８を有している。一例としての貫通孔１５８は裏バルブ１４のモジュール配置領域１４１に設けられている。ここでは、周方向に間隔をおいて２個設けられている。
【００３０】
バルブ体１１はランプ側ケーブル３１７用の貫通孔１５８を覆うカバー１８を取り付けるためのカバー取付部１５９を有する。ここでは裏バルブ１４に貫通孔１５８があるため、バルブ体１１はカバー取付部１５９を裏バルブ１４に有する。
カバー取付部１５９について主に図１１を用いて説明する。
カバー取付部１５９に取り付けられる一例としてのカバー１８は、図３及び図４に示すように、表側が開口する表裏方向の高さが低い薄型箱状をしている。カバー取付部１５９はランプ側ケーブル３１７と光源モジュール１０とを接続するための接続空間をカバー１８とで形成する。
【００３１】
カバー取付部１５９が存在する内周壁部分１６２は、表側端から裏側に延伸し、カバー取付部１５９が存在しない内周壁部分１６１よりも径方向の内側に位置している。また、ここでの裏バルブ１４は表側に凹入する凹入部１４ｈを裏側端に有している。凹入部１４ｈは周方向に連続して存在し、その底部分の表面がモジュール配置領域１４１である。
カバー取付部１５９は、凹入部１４ｈ及び内周壁部分１６２から立設する立設部分１６０を有する。立設部分１６０はカバー１８における周方向の両側の側板部１８２に対向する。
カバー１８は、凹入部１４ｈを構成する外周面１５９ａと、一対の立設部分１６０との内側に嵌合する。この嵌合状態において、カバー１８の径方向の内側に位置する側板部１８２の外面と内周壁部分１６２の外面とが面一状となり、カバー１８の内側に位置する側板部１８２の表側端面と内周壁部分１６２とが当接（近接）する（図２参照）。
なお、一対の立設部分１６０間に位置する凹入部１４ｈの底部分１５９ｂには、ランプ側ケーブル３１７用の貫通孔１５８が離間して２個設けられている。
【００３２】
凹入部１４ｈの内側端と内周壁部分１６２との間には、ランプ側ケーブル３１７を配置するための溝１６３が形成されている。つまり、裏バルブ１４は、凹入部１４ｈの内側端から表側に延伸する中間壁１６４と、中間壁１６４の表側端から内周壁部分１６２へと延伸する底壁１６５とを有し、中間壁１６４、底壁１６５及び内周壁部分１６２とで溝１６３が形成される。
内周壁部分１６２及び中間壁１６４は、ランプ側ケーブル３１７用の欠け部１６２ａ、１６４ａを有している。内周壁部分１６２及び中間壁１６４は、ランプ側ケーブル３１７を固定するための凸部分１６２ｂ，１６４ｂを溝１６３の内部に張り出すように交互に有している。
【００３３】
カバー１８はカバー取付部１５９にはカバー取付手段により取り付けられる。カバー取付部１５９は、固定具を利用した第１バルブ側固定部と、係合構造を利用した第２バルブ側固定部との少なくとも一方を有する。ここでのカバー１８は、裏バルブ１４に係合する状態で、固定具により裏バルブ１４に固定される。
ここでの取り付けには固定具を利用する。一例としての固定具は、図４等に示すようにねじ体１９２である。ねじ体１９２は溝１６３に設けられたボス部分１６６のねじ孔１６７に螺合する。裏バルブ１４のねじ孔１６７が第１バルブ側固定部を構成する。なお、ボス部分１６６は表裏に延伸する。
一対の立設部分１６０に挟まれた凹入部１４ｈを構成する外周面１５９ａと底部分１５９ｂとに跨る位置に凹部１６８を有している。この凹部１６８にカバー１８の凸部１８４が係合する。この凹部１６８が第２バルブ側固定部１６８を構成する。なお、凹部も［１６８」の符号を利用する。
【００３４】
（４）支持部材
図３〜図５、図７及び図９を用いて説明する。
支持部材１７は、光源モジュール１０における内周端部を支持する内周支持部１７０と、光源モジュール１０における外周端部を支持する外周支持部１７１とを有する。支持部材１７は内周支持部１７０と外周支持部１７１とを連結する連結部１７２を周方向に間隔をおいて複数個有する。
【００３５】
図５及び図９に示すように、内周支持部１７０は光源モジュール１０の表面に対向する内周対向部分１７３を有する。内周支持部１７０は内周対向部分１７３の外周縁から表側に立設する内周立設部分１７４を有する。なお、内周対向部分１７３は径方向内位置規制部１４３に当接する（図５参照）。
図５及び図９に示すように、外周支持部１７１は光源モジュール１０の表面に対向する外周対向部分１７５を有する。外周支持部１７１は外周対向部分１７５の外周縁から表側に立設する外周立設部分１７６を有する。なお、外周対向部分１７５は径方向外位置規制部１４４に当接する（図５参照）。
内周立設部分１７４は、図１３の（ａ）に示すように、内周壁の内リブ部１４７（１４７ａ，１４７ｂ）に径方向に当接する。外周立設部分１７６は、図１３の（ｂ）に示すように、外リブ部１４８（１４８ａ，１４８ｂ）に当接する。これにより支持部材１７は径方向への位置決めされる。外周立設部分１７６は、図５に示すように、裏バルブ１４の外周壁に沿って円弧状に立設する。
なお、本明細書では、「立設する」には、直角に立設する場合、直角でない角度で立設する場合、直接状に立設する場合、曲線状に立設する場合を含む。
【００３６】
図７、図９及び図１３に示すように、連結部１７２は径方向に延伸する２本の連結部分１７７を１組として複数組有している。複数組の連結部分１７７は周方向に間隔をおいて１０組ある。２本の連結部分１７７は周方向に間隔をおいて設けられ、２本の連結部分１７７の間にＬＥＤ素子１０１が位置する。
【００３７】
図９に示すように、支持部材１７は周方向への移動を規制する支持部材位置規制部を有している。一例としての支持部材位置規制部は、内周支持部１７０に設けられた支持部材内位置規制部１７８と、外周支持部１７１に設けられた支持部材外位置規制部１７９とを有している。
支持部材内位置規制部１７８は連結部１７２に対して径方向の内側に位置する。支持部材外位置規制部１７９は連結部１７２に対して径方向の外側に位置する。
【００３８】
図１３の（ａ）に示すように、支持部材内位置規制部１７８は内周支持部１７０から内周壁に沿うように表側に延伸する。支持部材内位置規制部１７８は、内周壁の内リブ部１４７の内、周方向に近接して隣接する内リブ部１４７ａ，１４７ｂの間に位置する。
図１３の（ｂ）に示すように、支持部材外位置規制部１７９は外周支持部１７１から外周壁に沿うように表側に延伸する。支持部材外位置規制部１７９は、外周壁の外リブ部１４８（図８参照）の内、周方向に近接して隣接する外リブ部１４８ａ，１４８ｂの間に位置する。
【００３９】
図３及び図４に示すように、内周支持部１７０は径方向の外方へと凹入する凹入部分１７０ａを有している。凹入部分１７０ａは内周壁の突出部１５４の張り出しに対応して設けられている。内周支持部１７０は表側に凹入する凹入部分１７０ｂを裏側端に有している。凹入部分１７０ｂはカバー１８用のカバー取付部１５９に形成されたランプ側ケーブル３１７用の凹入部分１６4ａに対応して設けられている。
【００４０】
（５）表バルブ
図３〜図５、主に図４を用いて説明する。
表バルブ１２は周方向と直交する横断面形状が半環状、ここでは、略半円環状をしている。表バルブ１２は透光性樹脂材料により構成されている。
表バルブ１２はバルブ位置決め部を構成するバルブ表位置決め部１２０を有している。一例としてのバルブ表位置決め部１２０は、図４及び図１２に示すように、内周壁における裏側端に形成されたバルブ表内位置決め部１２１と、外周壁における裏側端に形成されたバルブ表外位置決め部１２２との少なくとも一方を有する。ここでは、バルブ表位置決め部１２０はバルブ表内位置決め部１２１とバルブ表外位置決め部１２２の両方を有する。
【００４１】
バルブ表内位置決め部１２１及びバルブ表外位置決め部１２２は表側に凹入し且つ周方向に延伸する溝（凹条）形状をしている。バルブ表内位置決め部１２１は表バルブ１２の内周壁の裏側端面に存在し、バルブ表外位置決め部１２２は表バルブ１２の外周壁の裏側端面に存在する。
図１２に示すように、バルブ表内位置決め部１２１には凸条形状のバルブ裏内位置決め部１５１に嵌り、バルブ表外位置決め部１２２には凸条形状のバルブ裏外位置決め部１５２に嵌る。
【００４２】
表バルブ１２は、表バルブ１２を補強するための表リブ部１２３を有している。一例としての表リブ部１２３は、内周壁に形成された表内リブ部１２４と外周壁に形成された表外リブ部１２５の少なくとも一方を有する。ここでの表リブ部１２３は表内リブ部１２４と表外リブ部１２５との両方を有する。なお、表リブ部１２３は、表バルブ１２の径方向の内方に向かって突出して表裏方向に延伸する。
【００４３】
バルブ体１１は、上述したように、裏バルブ１４と表バルブ１２とを結合するために、ねじ体１９１を利用した第１結合手段と、係合構造を利用した第２結合手段との両方からなるバルブ結合手段を有する。
表バルブ１２は、第１結合手段を構成する第１表結合部１２６と、第２結合手段を構成する第２表内側結合部１２７及び第２表外側結合部１２８とを有している。
【００４４】
第１表結合部１２６は、内周壁の内面に沿って裏側に延伸する表ボス部１２９に形成されたねじ穴により構成される。なお、ねじ穴の符号も１２６を用いる。ねじ穴１２６にはねじ体１９１のねじ部が螺合する。第１表結合部１２６は周方向に間隔をおいて複数個、ここでは５個ある。
【００４５】
表バルブ１２は第２結合手段を構成する第２表内側結合部１２７及び第２表外側結合部１２８の少なくとも一方を有している。ここでは、表バルブ１２は第２表内側結合部１２７及び第２表外側結合部１２８の両方を有する。
【００４６】
第２表内側結合部１２７は、図５に示すように、裏バルブ１４の第２裏内側結合部１５６の凸部分１５６ａの裏側へと突出する凸部分１２７ａを有する係合部により構成される。第２表内側結合部１２７は、図１４に示すように、内周壁の裏側端部から裏側に延出する延出板部分１２７ｂと、延出板部分１２７ｂの外面から径方向の内方へと突出する凸部分１２７ａとを備える。
凸部分１２７ａは、径方向の内側から見ると、図１４の（ｂ）に示すように、表側が開放する「コ」字をし、凸部分１２７ａの内側に凹部分１２７ｃが形成されている。図５に示すように、凹部分１２７ｃに裏バルブ１４の第２裏内側結合部１５６の凸部分１５６ａが嵌る。これにより、第２裏内側結合部１５６と第２表内側結合部１２７とが係合する。
【００４７】
第２表外側結合部１２８は、図４に示すように、外周壁の裏側端部内面に設けられている。第２表外側結合部１２８は上述の第２表内側結合部１２７と同じ構成を有している。つまり、第２表外側結合部１２８は、第２表内側結合部１２７の凸部分１２７ａを外向きとなるように、第２表内側結合部１２７を反転させて外周壁に設けたような構成を有している。
換言すると、図４に示すように、第２表外側結合部１２８は外周壁の厚み方向に突出する凸部分１２８ａを有する係合部より構成される。第２表外側結合部１２８は、外周壁の裏側端部から裏側に延出する延出板部分１２８ｂと、延出板部分１２８ｂにおける周方向の中間に形成された径方向の外側に突出する凸部分１２８ａとを備える。凸部分１２８ａの裏側端部は表側に移るにしたがって外側への突出量が大きくなる傾斜面となっている。
第２表外側結合部１２８は周方向に間隔をおいて複数個設けられている。ここでは、第２表外側結合部１２８は４個ある。
【００４８】
第２表内側結合部１２７の延出板部分１２７ｂ及び第２表外側結合部１２８の延出板部分１２８ｂは、第２裏内側結合部１５６の延出板部分１５６ｂ及び第２裏外側結合部１５７の延出板部分１５７ｂに当接する。
【００４９】
（６）カバー
図３、図４及び図１１を用いて説明する。
カバー１８は表側が開口する表裏方向の高さが低い薄型箱状をしている。カバー１８は裏バルブ１４のカバー取付部１５９に取り付けられる。
カバー１８はカバー取付部１５９の外周面１５９ａと、一対の立設部分１６０との内側に嵌合する大きさであって矩形状の平板部１８１と、平板部１８１の周縁から表側に立設する側板部１８２とを有している。
【００５０】
カバー１８はカバー取付部１５９にカバー取付手段より取り付けられる。カバー１８は、固定具を利用した第１カバー側固定部１８３と、係合構造を利用した第２カバー側固定部１８４との少なくとも一方（ここでは両方）を有する。
カバー１８は表側に突出する突出部１８５を平板部１８１に有している。突出部１８５には貫通孔が設けられている。この貫通孔にはねじ体１９２のねじ部が裏側から挿通する。貫通孔は第１カバー側固定部１８３を構成する。なお、貫通孔の符号にも１８３を用いる。ねじ体１９２のねじ部は裏バルブ１４のカバー取付部１５９のねじ孔１６７に螺合する。
側板部１８２における径方向の外周側に位置する側板部１８２ａには、外方に突出する凸部分を有している。この凸部分は第２バルブ側固定部１６８である凹部に係合する。凸部分が第２カバー側固定部１８４を構成する。なお、凸部分の符号も１８４を用いる。
【００５１】
側板部１８２における周方向の両端に位置する側板部１８２には、表側に突出する突出部１８６を有している。突出部１８６は、カバー取付部１５９の溝１６３であってボス部分１６６の（周方向の）外側の凹入部分に嵌る。
【００５２】
４．電源ユニット
図１、図１５〜図１7を用いて説明する。
電源ユニット３はＬＥＤ素子１０１に点灯電力を供給する。電源ユニット３はＬＥＤランプ１と別体に設けられている。電源ユニット３は、図１に示すように、ランプ側ケーブル３１７によりＬＥＤランプ１と電気的に接続される。電源ユニット３は、図１に示すように、照明器具９側と器具側ケーブル３１８により電気的に接続される。
器具側ケーブル３１８のコネクタ３１８ａはケーブル９８のソケット９７ａに着脱自在に接続されている。ケーブル９８は、設置面の引掛けシーリング用の引掛刃を備える接続具９７に接続されている。ここでの引掛刃を備える接続具９７は照明器具９を構成する一部品である。
【００５３】
電源ユニット３は、図１６及び図１7に示すように、筐体３０と点灯回路３１とを備える。点灯回路３１は筐体３０内に収容される。筐体３０は、表側に位置する表筐体３２と、裏側に位置する裏筐体３５との２部材から構成される。表筐体３２と裏筐体３５とは固定具を利用して固定される。一例としての固定具はねじ体３９５である。
電源ユニット３は筐体３０を照明器具９に着脱自在に取り付けるための取付具３７を備える。取付具３７は、照明器具９における蛍光灯が取り付けられる側、つまり表面に取り付けられる。
以下、各部について説明する。
【００５４】
（１）点灯回路
図１６、図１7及び図１９を用いて説明する。
点灯回路３１は、回路基板３１０と電子部品３１１，３１２とを備える。一例として、電子部品３１１は回路基板３１０の表面に、電子部品３１２は回路基板３１０の裏面にそれぞれ実装されている。電子部品３１１は複数個あり、図１６及び図１７ではブロックで示している。
なお、ここでは、リモコンによるＬＥＤ素子１０１の点灯が制御されるため、点灯回路にはリモコンからの情報（信号）に基づいて供給電流等を制御する制御回路も含まれる。つまり、電子部品３１１，３１２には、ＬＥＤランプ１に点灯電力を供給するための給電用の電子部品と、例えばリモコン等からのＬＥＤ素子１０１の点灯に関する情報（信号）に基づいて点灯を制御する制御用の電子部品とが含まれる。
なお、回路基板３１０にはランプ側ケーブル３１７と器具側ケーブル３１８が接続されている。
【００５５】
回路基板３１０は、複数個の電子部品３１１，３１２を点灯用に回路構成するための配線パターンを表面及び裏面に有する（図示省略）。一例としての回路基板３１０は矩形状をしている。
回路基板３１０は、筐体３０で固定されるための基板固定手段３１３を有している。ここでの固定には、表筐体３２と裏筐体３５とを固定（結合）するためのねじ体３９５が利用される。基板固定手段３１３はねじ体３９５が挿通する貫通孔により構成される。
【００５６】
電源ユニット３は、回路基板３１０に接続されたランプ側ケーブル３１７や器具側ケーブル３１８を固定するためのケーブル固定手段を有する。一例としてのケーブル固定手段は表裏方向に延伸する凸部分３６２により構成される。凸部分３６２は表筐体３２及び裏筐体３５の少なくとも一方にあればよい。ここでの凸部分３６２は、裏筐体３５の長手方向の端部であって短手方向の両端部に形成され、合計で４個ある。
回路基板３１０は凸部分３６２に対応して貫通孔又は欠け部を複数個有している。ここでは欠け部３１４である。裏筐体３５の凸部分３６２が回路基板３１０の欠け部３１４に係合する。
【００５７】
ＬＥＤランプ１の点灯・消灯、調光等の点灯制御は図外のリモコンからの信号に基づいて行われる。点灯制御用の回路を構成する電子部品は回路基板３１０に実装されている。点灯制御用の電子部品の符号も「３１１」，「３１２」を用いている。
回路基板３１０の表面には受光素子３１５が設けられている。受光素子３１５はリモコンからの信号を受信する。
回路基板３１０の表面には主光源以外の機能を有する発光素子が実施されている。発光素子の一例としてのＬＥＤ３１６が利用され、常夜灯として機能する。
【００５８】
（２）表筐体
図１６及び図１7を用いて説明する。
筐体３０は図１５に示すように薄い箱状（直方体状）をしている。表筐体３２及び裏筐体３５は、筐体３０を厚み方向に２分して構成される。
表筐体３２は透光性を有する材料である透光性樹脂材料により構成されている。具体的には、ポリカーボネイト（ＰＣ）等の材料により構成されている。表筐体３２は矩形状の表平板部３２１と、表平板部３２１の周縁から裏側に立設する表側板部３２２とを有している。表平板部３２１は、例えば、表平坦部分３２３と、裏側広がりに傾斜する表傾斜部分３２４とを有している。表側板部３２２は、矩形状の表平板部３２１の短辺側に位置する表短辺側板部分３２５と、表平板部３２１の長辺側に位置する表長辺側板部分３２６とを有する。
【００５９】
表平板部３２１は凹入部分３２１ａ，３２１ｂを有している。凹入部分３２１ａは受光素子３１５に対向する部位に設けられている。凹入部分３２１ｂは常夜灯用のＬＥＤ３１６に対向する部位に設けられている。これにより、電源ユニット３の厚さを抑えるとともに、受光素子３１５の検出感度の向上、常夜灯用のＬＥＤ３１６の照度を上げることが可能となる。
【００６０】
表筐体３２はねじ体３９５用のねじ穴３２７を有している。一例としてのねじ穴３２７は表平板部３２１から又は表平板部３２１と表側板部３２２とに跨って形成された凸部分３２８に設けられている。ここでの凸部分３２８は表平板部３２１の角部分から円柱状に突出する。なお、凸部分３２８のねじ穴３２７は筐体固定手段の一部を構成する。
【００６１】
表側板部３２２は裏筐体３５と位置決めして嵌合する表嵌合部３３１を有している。表嵌合部３３１は表側板部３２２における裏側端に設けられている。一例としての表嵌合部３３１は、裏筐体３５の裏嵌合部３５９に内嵌する。具体的には、表側板部３２２の裏側端部が段差となっており、裏側板部３５２の表側端部の段差と嵌合する。本例では、表嵌合部３３１の段差は内側が裏側に突出し、裏嵌合部３５９の段差は外側が表側に突出している。
【００６２】
表側板部３２２の表短辺側板部分３２５の裏側端に欠け部３３２を２ヶ所有している。欠け部３３２はランプ側ケーブル３１７用と器具側ケーブル３１８用である。
表筐体３２は裏側に延伸する延伸部分３３３を有する。一例としての延伸部分３３３は横断面が矩形状をし、延伸先端部が回路基板３１０に当接する。なお、延伸部分３３３により回路基板３１０の表面が支持される。
【００６３】
（３）裏筐体
図１６及び図１7を用いて説明する。
裏筐体３５は、透光性材料、具体的にはポリカーボネイト（ＰＣ）等の樹脂材料により構成されている。裏筐体３５は矩形状の裏平板部３５１と、裏平板部３５１の周縁から表側に立設する裏側板部３５２とを有している。裏平板部３５１は、例えば、裏平坦部分３５３と、表側広がりに湾曲する裏湾曲部分３５４とを有している。裏側板部３５２は、矩形状の裏平板部３５１の短辺側に位置する裏短辺側板部分３５５と、裏平板部３５１の長辺側に位置する裏長辺側板部分３５６とを有する。
【００６４】
裏筐体３５はねじ体３９５用の貫通孔３５７を有している。一例としての貫通孔３５７は裏平板部３５１から又は裏平板部３５１と裏側板部３５２とに跨って形成された凹入部分３５８の底部分に設けられている。ここでの凹入部分３５８は裏平板部３５１の角部分から表側に有底筒状に凹入する。なお、凹入部分３５８の貫通孔３５７は筐体固定手段の一部を構成する。
【００６５】
裏側板部３５２は表筐体３２と位置決めして嵌合する裏嵌合部３５９を有している。裏嵌合部３５９は裏側板部３５２における表側端に設けられている。一例としての裏嵌合部３５９は上述のように外側が表側に突出する段差により構成されている。
【００６６】
裏側板部３５２の裏短辺側板部分３５５の表側端に欠け部３６０を２ヶ所有している。欠け部３６０はランプ側ケーブル３１７用と器具側ケーブル３１８用である。
裏筐体３５は裏平板部３５１（裏湾曲部分３５４）と裏長辺側板部分３５６に表裏に延伸するリブ部分３６１を有している。リブ部分３６１の表側先端は回路基板３１０に当接する。なお、リブ部分３６１により回路基板３１０の裏面が支持される。
【００６７】
裏筐体３５は表裏方向に延伸する凸部分３６２を有している。凸部分３６２は回路基板３１０の欠け部３１４と嵌合するように延伸する。凸部分３６２は円筒状に延伸する。なお凸部分３６２はリブ部分３６３により裏側板部３５２（裏短辺側板部分３５５）に連結されている。リブ部分３６３の表側端が回路基板３１０の裏面に当接するように、リブ部分３６３が構成されている。
【００６８】
裏筐体３５は取付具３７を装着する筐体側装着手段を有する。一例としての筐体側装着手段は、図１５の（ｂ）に示すように取付具３７の裏側に露出させた状態で、図１６に示すように、取付具３７を裏側から支持する筐体側支持片３６４と、取付具３７と係合する筐体側係合部３６５とを有する。
【００６９】
裏筐体３５は取付具３７を露出させるための開口３６６を裏平板部３５１に有している。一例としての開口３６６は矩形状に近い形状をしている。開口３６６は矩形状で裏平板部３５１の長手方向に長い形状をしている。
【００７０】
裏筐体３５は筐体側係合部３６５として２つの係合部を有している。筐体側係合部３６５は、取付具３７の第１取付側係合部３９４に係合する第１筐体側係合部３６７と、取付具３７の第２取付側係合部に係合する第２筐体側係合部３６８とを有する。
【００７１】
第１筐体側係合部３６７は取付具３７の第１取付側係合部（凸部分）３９４に係合する第１係合片により構成される。第１係合片は矩形状の開口３６６の長辺に沿って複数個ある。ここでは第１係合片が間隔をおいて２個ある。第１係合片は、開口３６６の一方の長辺の周辺部分から表側に延伸した後に開口に向かって屈曲する逆「Ｌ」字状をしている。第１筐体側係合部３６７は、裏平板部３５１の開口３６６の周辺部分と、「Ｌ」字状の屈曲部分との間に空間を有し、この空間に取付具３７の凸部分３９４が嵌る。なお、第１係合片の長手方向の両端は、屈曲部分と裏平板部とを連結する連結部分３６７ａ（図１６参照）により塞がれている。
【００７２】
第２筐体側係合部３６８は取付具３７の取付ケース３９の角部分に係合する第２係合片により構成される。第２筐体側係合部３６８は開口３６６の他方の長辺に設けられている。第２筐体側係合部３６８は、長辺に面する端縁から表側に延伸する延伸片３６８ａと、延伸片３６８ａの先端から開口３６６側に突出する突出部分３６８ｂとを有する。延伸片３６８ａの延伸方向と直交する方向に延伸片３６８ａを弾性変形可能とするための溝３６８ｃが裏平板部３５１であって延伸片３６８ａの両側に設けられている。なお、突出部分３６８ｂにおける開口３６６側の面は、表側に移るに従って開口３６６側に張り出す傾斜面となっている。
【００７３】
裏筐体３５は取付具３７の取付ケース３９を位置決めするための取付ケース位置決め部３６９を有している。一例としての取付ケース位置決め部３６９は取付ケース３９の外周面に当接するように突出する突出部分により構成される。取付ケース位置決め部３６９は開口３６６から離間する部位に設けられている。これにより、取付ケース３９の裏側端面が裏平板部３５１に当接する。なお、取付ケース位置決め部３６９は、矩形状の開口３６６の周囲であって第２筐体側係合部３６８が存在する側の長辺部分を除いて形成されており、表側から取付ケース位置決め部３６９を見ると、「コ」字状をしている。
【００７４】
（４）取付具
図１５から図１９を、特に図１６及び図１7を用いて説明する。
一例である取付具３７は磁石セット３８と磁石セット３８を覆う取付ケース３９とを備える。
【００７５】
（４−１）磁石セット
磁石セット３８は薄型箱状をする磁石３８１と、磁石３８１を固着するベース部材３８２とを備える。
磁石３８１は回路基板３１０に対して照明器具９側、つまり、裏側に配されている。磁石３８１は表側又は裏側から見ると矩形状をする薄型直方体状をしている。
ベース部材３８２は磁石３８１の表面に接着剤等により固着される。ベース部材３８２は、磁石３８１の裏面に当接する矩形状のベース部３８３と、ベース部３８３の長辺部分から立設して磁石３８１の側面と当接する一対の立設部３８４とを備える。なお、ベース部３８３の長手方向の寸法は磁石３８１の長手方向の寸法と略同じである。立設部３８４の長手方向の寸法は磁石３８１の長手方向の寸法よりも長い。
【００７６】
ベース部材３８２は、ベース部３８３における短辺側の端部からそのまま長手方向に延出する延出部分３８５を有する。延出部分３８５は短手方向の略中央に位置する。延出部分３８５は裏筐体３５の筐体側支持片３６４と当接する。
ベース部材３８２は、ベース部３８３における短辺側の端部から裏側に突出する凸部分３８６を有する。凸部分３８６は短手方向の略中央の延出部分３８５の両側に位置する。延出部分３８５の内面は磁石３８１と当接する。
ベース部材３８２として金属材料（例えば鉄材料）をすると、磁石３８１との間で磁気回路が形成されて、磁力を電源ユニット３の裏面に集中させることができる。
【００７７】
（４−２）取付ケース
取付ケース３９は裏側が開口する箱状をしている。取付ケース３９は矩形状の平板部３９１と、平板部３９１の周縁に設けられた側板部３９２とを有する。
取付ケース３９の深さは、図１８に示すように、ベース部材３８２のベース部３８３の厚みに相当する。これにより、取付ケース３９の開口側端面（裏面）が裏筐体３５の開口３６６の周辺部分に当接する。
【００７８】
取付ケース３９の長辺側の一方の側板部３９３には凸部分３９４が設けられている。凸部分３９４は裏筐体３５の第１筐体側係合部３６７と係合する。つまり、凸部分３９４は取付具３７の第１取付側係合部３９４を構成する。なお、凸部分の符号も「３９４」を利用する。
【００７９】
取付ケース３９の長辺側の他方の側板部３９３と平板部３９１とに跨る部分（角部分）に裏筐体３５の第２筐体側係合部３６８が係合する。つまり、角部分は取付具３７の第２取付側係合部を構成する。
【００８０】
５．固定具
図２０及び図２１を用いて説明する。
固定具５は、照明器具９側に固定される器具側固定部５０と、ＬＥＤランプ１を固定するランプ側固定部５１とを有する。ここでは、器具側固定部５０はアダプタ７を介して照明器具９に固定される。
固定具５は器具側固定部５０とランプ側固定部５１とを一体で有する。つまり、器具側固定部５０とランプ側固定部５１とは別部材で構成されていない。
【００８１】
（１）器具側固定部
器具側固定部５０は円筒状をする円筒部分５２を有している。ここでの照明器具９は、バルブの直径が小さい、所謂丸形スリム蛍光灯を２重で装着可能な器具である。このため、「Ｃ」字状の固定ホルダ９３の内周面の曲率は丸型スリム蛍光灯に対応している。
円筒部分５２は固定ホルダ９３に対して装着可能に構成されている。つまり、円筒部分５２の外径が丸形スリム蛍光灯のバルブの外径と略同じに構成されている。円筒部分５２の筒軸方向の長さは固定ホルダ９３よりも長くなっている。これにより、円筒部分５２を固定ホルダ９３の取り付けることができる。
【００８２】
器具側固定部５０は円筒部分５２よりも大径の鍔部分５３を有している。鍔部分５３は円筒部分５２の筒軸方向の両端部であって外周面側に設けられている。つまり、鍔部分５３は円筒部分５２の端部外周面から径方向の外方に張り出すように形成されている。なお、円筒部分５２の内径は筒軸方向の一端から他端に亘って一定である。
ここでの鍔部分５３は円筒部分５２と同心円上に設けられている。これにより、円筒部分５２が固定ホルダ９３に対して筒軸方向にスライドしても、器具側固定部５０が固定ホルダ９３から外れるようなことを少なくできる。なお、器具側固定部５０は円筒部分５２の全周に亘って鍔部分５３を有している。
【００８３】
（２）ランプ側固定部
ランプ側固定部５１は「Ｃ」字状の横断面形状を有するＣ字部分５４を有している。Ｃ字部分５４は、換言すると、溝を筒軸に沿って有する円筒部分である。Ｃ字部分５４の開口５５は器具側固定部５０が存在する側と反対側にある。Ｃ字部分５４の内周面の曲率はＬＥＤランプ１のバルブ体１１の外周径に対応している。
Ｃ字部分５４は、開口５５の間隔を大小できる方向、つまり、縮径方向又は拡径方向に弾性変形可能に構成されている。開口５５におけるＣ字部分５４の周方向の距離はＬＥＤランプ１のバルブ体１１の外径よりも小さい。これにより、Ｃ字部分５４にＬＥＤランプ１を開口５５から挿入することが可能となり、挿入後にＬＥＤランプ１がランプ側固定部５１から外れるようなことを少なくできる。
【００８４】
ランプ側固定部５１はＣ字部分５４の周方向の端部、つまり開口５５に面している端部に径方向の外方へ屈曲する屈曲部分５６を有する。これにより、ＬＥＤランプ１のＣ字部分５４への挿入を容易に行える。
ランプ側固定部５１はＣ字部分５４よりも大径の鍔部分５７を有している。鍔部分５７はＣ字部分５４の筒軸方向の両端であって外周面側に設けられている。つまり、鍔部分５７はＣ字部分５４の端部外周面から径方向の外方に張り出すように形成されている。ここでの鍔部分５７はＣ字部分５４と同心円状に設けられている。
【００８５】
（３）連結部
固定具５は、器具側固定部５０とランプ側固定部５１とを連結する連結部５８を一体で有する。連結部５８は、器具側固定部５０の鍔部分５３と、ランプ側固定部５１の鍔部分５７とを連結する。連結部５８は、器具側固定部５０とランプ側固定部５１の筒軸が平行な状態で、両者を連結する。
ここでの連結部５８は円筒部分５２及びＣ字部分５４の筒軸方向に離間して２個ある。これにより、器具側固定部５０の円筒部分５２が固定ホルダ９３内で回転可能となり、ＬＥＤランプ１の取付作業性を向上できる。
【００８６】
６．アダプタ
図２０、図２２及び図２３を用いて説明する。
アダプタ７は、照明器具９のＧ１０ｑ端子９４に取り付けられる器具側取付部７０と、固定具５の円筒部分５２に挿入される固定具挿入部７１とを有している。なお、照明器具９は、図２０に示すように、Ｇ１０ｑ端子に蛍光灯（ＬＥＤランプ１）が外れるのを防止するための押さえ部材９６を備える。なお、押さえ部材９６は例えばＣ字状をしている。
アダプタ７は器具側取付部７０と固定具挿入部７１とを一体で有する。つまり、器具側取付部７０と固定具挿入部７１とは別部材で構成されていない。
【００８７】
（１）器具側取付部
器具側取付部７０は、Ｇ１０ｑ端子９４に取り付けられる端子取付部と、押さえ部材９６により支持される被支持部とを有する。
器具側取付部７０は、立方体状のベース部分７２と、ベース部分７２における裏面からピン状に延伸する延伸部分７３と、ベース部分７２における表面から円弧状に膨出する膨出部分７４とを有する。
延伸部分７３はＧ１０ｑ端子９４と嵌合する。延伸部分７３は複数本、ここでは４本ある。４本の延伸部分７３は正方形の裏面の角近傍に位置する。
膨出部分７４はＣ字状の押さえ部材９６の内周面の曲率に対応した半径で膨出する。膨出部分７４の全体の形状は半円柱状をしている。延伸部分７３がＧ１０ｑ端子９４に嵌合すると、膨出部分７４及びベース部分７２が押さえ部材９６により支持される。
膨出部分７４及びベース部分７２は表側から裏側に延伸する凹入部分７４ａを有している。これによりアダプタ７の軽量化が図られる。凹入部分７４ａは表側から見たときに、方形状をし、４個形成されている。膨出部分７４を表側から見ると、図２３の（ｂ）に示すように、４つの凹入部分７４ａのため「田」字状をしている。
なお、端子取付部は延伸部分７３で構成される。被支持部はベース部分７２と膨出部分７４とで構成される。
【００８８】
（２）固定具挿入部
固定具挿入部７１は器具側取付部７０から延伸する棒状部分７５を有する。棒状部分７５は全体として円柱状をしている。棒状部分７５の外周径は固定具５の円筒部分５２の内径に対応している。
棒状部分７５は半円柱状の膨出部分７４の中心軸に沿って延伸する。棒状部分７５の中心軸は、表側から見たとき、図２３の（ｂ）に示すように膨出部分７４の中心軸に対して傾斜している。傾斜方向はＬＥＤランプ１のバルブ体１１の中心軸に沿う方向である。
【００８９】
棒状部分７５の中心軸は、表裏方向と直交する方向からみたとき、図２３の（ａ）に示すように膨出部分７４の中心軸に対して傾斜する。ここでは、棒状部分７５の先端に近づくにしたがって表裏方向における延伸部分７３が存在する側に近づく。
この傾斜により、アダプタ７を照明器具９のＧ１０ｑ端子９４に取り付け、アダプタ７の固定具挿入部７１に固定具５の器具側固定部５０を挿入した際に、固定ホルダ９３と同じ位置に合せることができる。
棒状部分７５は延伸方向に間隔を置いて溝部分７５ａを有する。溝部分７５ａは延伸部分７３の延伸方向と平行な方向に形成されている。溝部分７５ａは表側から見たときに棒状部分７５の中心軸を挟んだ両側に形成されている。これにより、アダプタ７を表側から見たときに、棒状部分７５が膨出部分７４の中心軸に対して直交する方向に弾性変形可能となる。これにより、環状をするＬＥＤランプ１のバルブ体１１の環外径の寸法の異なるＬＥＤランプ１にも適用できる。
棒状部分７５を換言すると、矩形板状部分７５ｂと、矩形板状部分７５ｂの長手方向に沿って間隔を置いて設けられた延伸片部分７５ｃとから構成されている。延伸片部分７５ｃは矩形板状部分７５ｂの両面から直交する方向に延伸する。なお、隣接する延伸片部分７５ｃの間の空間が上記溝部分７５ａとなる。
矩形板状部分７５ｂと一対の延伸片部分７５ｃとが存在する部分の棒状部分７５の横断面形状は、固定具５の円筒部分５２の内部空間の横断面形状と一致するように、構成されている。ここでの横断面形状は円形状をしている。
延伸片部分７５ｃの外周径は円筒部分５２の内周径よりも少し小さく、延伸片部分７５ｃは円筒部分５２への挿入方向に対して弾性変形可能に構成されている。
これにより、固定具挿入部７１の固定具５の円筒部分５２へのスムーズな挿入が可能となる。挿入後の延伸片部分７５ｃは円筒部分５２の内周面に接触・近接する程度であり、抜け防止機能を有しつつ、固定具５の円筒部分５２に対する位置決めが自由に行える。
【００９０】
固定具挿入部７１は棒状部分７５から延伸する一対の延伸板部分７６を有する。一対の延伸板部分７６は略平行に延伸する。一対の延伸板部分７６は互いに遠近する方向に弾性変形可能である。
固定具挿入部７１は延伸板部分７６の先端部に突出部分７７を有する。突出部分７７は、延伸板部分７６の延伸方向と直交する方向であって他の延伸板部分７６が存在しない側に突出する。突出部分７７の突出量は、延伸板部分７６の先端から棒状部分７５側に向かうにしたがって大きくなる。突出部分７７における棒状部分７５側の端面は延伸方向と直交する平坦面７７ａとなっている。
【００９１】
突出部分７７の平坦面７７ａとベース部分７２との距離は、固定具５の円筒部分５２よりも長い。突出部分７７の突出先端は、図２３の（ｂ）に示すように、棒状部分よりも外側に位置する。
一対の延伸板部分７６が固定具５の円筒部分５２内を挿入された際には、一対の延伸板部分７６が互いに近づくように弾性変形する。一対の延伸板部分７６が固定具５の円筒部分５２を通過した際には、一対の延伸板部分７６が復元して、突出部分７７の平坦面７７ａが円筒部分５２の端面に係合（対向）する。
【００９２】
７．ＬＥＤランプの照明器具への取付の一例
丸形スリム蛍光灯用の照明器具９にＬＥＤランプ１を取り付ける場合を説明する。
（１）丸形スリム蛍光灯が外された照明器具９に対して、ＬＥＤランプ１のバルブ体１１に固定具５のＣ字部分５４を固定する。この際、Ｃ字部分５４は開口５５が広がるように弾性変形可能であり、容易にＬＥＤランプ１に固定具５を固定できる。
（２）ＬＥＤランプ１付きの固定具５の円筒部分５２を照明器具９の固定ホルダ９３に固定する。この際、円筒部分５２の外径は固定ホルダ９３に固定される予定の従来の丸形スリム蛍光灯の外径に対応しており、固定具５の円筒部分５２を容易に固定ホルダ９３に固定できる。
（３）ＬＥＤランプ１付きの固定具５の円筒部分５２を照明器具９のＧ１０ｑ端子９４にアダプタ７を介して固定する。
まず、Ｇ１０ｑ端子９４にアダプタ７の延伸部分７３を嵌合させる。これにより、膨出部分７４が押さえ部材９６により支持される。
次に、アダプタ７の固定具挿入部７１を固定具５の円筒部分５２の貫通孔に挿入し、突出部分７７を円筒部分５２の反挿入側の短部に係合させる。
（４）ＬＥＤランプ１への給電は電源ユニット３を利用して行われる。電源ユニット３は裏面の磁石３８１を利用して照明器具９のベース９２に取り付けられている。
電源ユニット３の器具側ケーブル３１８のコネクタ３１８ａを照明器具９側の接続具９７から延出するケーブル９８のソケット９７ａに接続する。これにより、電源ユニット３に照明器具９側から電力が供給される。
【００９３】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００９４】
＜変形例＞
１．照明器具
（１）対象の蛍光灯
実施形態の照明器具９は環状の蛍光灯（丸形蛍光灯）、特に、管径の小さい丸形スリム蛍光灯を点灯させる器具である。しかしながら、照明器具は、丸形スリム蛍光灯の管径よりも大きな丸形蛍光灯を点灯させる器具であってもよい。この場合、ＬＥＤランプ１は照明器具９の固定ホルダ９３に直接取り付けられる。
実施形態の照明器具９は丸形蛍光灯用であったが、照明器具は例えば直管蛍光灯用であってもよい。この場合、直管蛍光灯の口金に相当する固定具を直管状のバルブ体の両端に一体で備えるようにＬＥＤランプを構成してもよいし、前記固定具をバルブ体の両端に別体で取り付けできるようにＬＥＤランプや固定具を構成してもよい。
なお、直管状のＬＥＤランプの場合であっても、電源ユニットを別体で設ける必要がある。これにより、直管状のＬＥＤランプの広い範囲にＬＥＤ素子を配置することができ、広い範囲で光を出射するようにできる。また、直管状のＬＥＤランプにおいても軽量化できる。
【００９５】
（２）給電端子
実施形態の照明器具９は固定式の給電端子の一例であるＧ１０ｑ端子を備えているが、例えば、ケーブル付きランプソケットを給電端子として備え且つ取付対象が丸形スリム蛍光体であるような照明器具に対してもＬＥＤランプ１を取り付けることができる。このような照明器具９ＡへのＬＥＤランプ１の取り付けについて図２４を用いて説明する。
【００９６】
照明器具９Ａはベース９２Ａに固定ホルダ９３Ａを備えている。固定ホルダ９３Ａは、Ｃ字状に湾曲するＣ字状部９３１Ａを先端に有している。ここでは、固定ホルダ９３Ａは２個のＣ字状部９３１Ａを有している。
ＬＥＤランプ１は固定具５のランプ側固定部５１に固定される。固定具５の器具側固定部５０は固定ホルダ９３ＡのＣ字状部９３１Ａに固定される。
固定ホルダ９３ＡにはＣ字状部９３１Ａが２ヶ所設けられており、丸形スリム蛍光体が照明器具９Ａに２本設けられる。しかしながら、１本のＬＥＤランプ１の照度は丸形スリム蛍光体の２本分と略等しいため、ここでは、１本のＬＥＤランプ１が取り付けられることとなる。
【００９７】
（３）固定ホルダ
実施形態の照明器具９の固定ホルダ９３はＣ字状をしている。しかしながら、固定ホルダは他の形状をしていてもよい。他の形状としては、「Ｕ」字状、「Ｖ」字状、図２４に示すようなＣ字の一端に延伸部分９３２Ａを有するような形状（疑問符のような形状）がある。
【００９８】
（４）タイプ
実施形態の照明器具９は所謂シーリングライトであったが、他のタイプであってもよい。他のタイプとしては、ペンダントライト、ベースライト等がある。
【００９９】
２．ＬＥＤランプ
（１）形状
実施形態のＬＥＤランプ１は丸形蛍光灯の代替として円環状をしている。しかしながら、ＬＥＤランプは他の形状、例えば、四角環状等の多角環状であってもよいし、直管状であってもよい。
直管状のＬＥＤランプの場合、直管状のバルブ体内に矩形状の光源モジュールを収容することで実施できる。なお、光源モジュールは、複数個の導電片から構成される搭載体と、当該搭載体に搭載され且つ複数個の導電片を連結する複数のＬＥＤ素子とから構成される。
【０１００】
（２）光源モジュール
（２−１）導電片
実施形態の導電片１０５は薄肉金属板により構成されている。金属板は、導電性があればよく、特に限定するものではない。しかしながら、ＬＥＤ素子の実装を考慮すると、銅等のはんだ付けが良好な金属材料が好ましい。
実施形態では導電片１０５として金属板を利用しているが、例えば、絶縁片と、絶縁片の一主面に設けられた導電層とから導電片を構成してもよい。
絶縁片としては、例えば、紙、樹脂板、紙に樹脂を含浸させた複合材料等がある。紙を利用する場合、難燃性を考慮して、例えば、紙にフェノール樹脂を含浸したもの（複合材料）が好ましい。導電層としては、例えば、銅箔等の金属箔、銅メッキ等のメッキ層、蒸着層等がある。なお、ＬＥＤ素子の実装を考慮すると、はんだ付けが良好な銅等からなる導電層が好ましい。
【０１０１】
（２−２）構造
実施形態では複数個の導電片１０５はＬＥＤ素子１０１を介して電気的に接続されている。しかしながら、複数個の導電片１０５は絶縁材料等で補助的に連結されてもよい。
実施形態のＬＥＤ素子１０１は発光色が白色の一種類であったが、例えば、発光色の異なる２種類のＬＥＤ素子を別系列で備え、調色できるようにしてもよい。
実施形態では複数個の導電片１０５を利用したが、主面に配線パターンを有する基板を１枚又は複数枚備え、基板にＬＥＤ素子を実装する光源モジュールであってもよい。
【０１０２】
３．電源ユニット
（１）構造
実施形態の電源ユニット３はリモコン用の受光素子３１５を備えているが、例えば、受光素子をＬＥＤランプに備えてもよい。この場合、例えば、受信した信号により点灯・消灯のみを行うスイッチング素子をＬＥＤランプ内に備えることで、電源ユニットをコンパクトにすることができる。
なお、電源ユニット３をＬＥＤランプ１と別体で備えることで、ＬＥＤランプ１の構造を簡単にできると共に軽量化も可能となる。
実施形態の電源ユニット３は回路基板３１０の両面に電子部品３１１，３１２を備えている。しかしながら、回路基板の片面にすべての電子部品を備えるようにしてもよい。また、電源ユニットは、点灯用の回路と、リモコンから信号による制御用の回路とを別に備えてもよい。
実施形態の筐体３０はポリカーボネイト（ＰＣ）等の材料により構成されている。しかしながら、電源回路の安全性を考慮すると、難燃性を有する透光性樹脂（ポリカーボネイト）を利用する方が好ましい。なお、筐体が電子部品や回路基板から充分に離間している場合、通常の透光性樹脂を利用してもよい。
【０１０３】
（２）取付具
実施形態の取付具３７は磁石３８１を内蔵しているが、例えば、裏筐体を金属材料で構成し、裏筐体と照明器具とを裏筐体の外部で磁石で着脱自在に取り付けるように構成してもよい。
実施形態の取付具３７は取付手段として磁石３８１を利用しているが、磁石以外の取付手段を利用してもよいし、磁石と磁石以外の取付手段とを併用してもよい。磁石以外の取付手段としては、両面テープやマジックテープ（登録商標）、金属線（針金）、ねじ体等がある。
【０１０４】
４．ケーブル
（１）ランプ側ケーブル
実施形態のランプ側ケーブル３１７は、ＬＥＤランプ１の内側導電片１０７Ｂ，１０７Ｃに、電源ユニット３の回路基板３１０にそれぞれ直接接続されている。
しかしながら、ランプ側ケーブルにコネクタを設け、着脱自在に接続するようにしてもよい。例えば、ランプ側ケーブルにおけるＬＥＤランプ側の端部にコネクタを設けてＬＥＤランプに対して着脱自在としてもよいし、ランプ側ケーブルにおける電源ユニット側の端部にコネクタを設けて電源ユニットに対して着脱自在としてもよいし、ランプ側ケーブルの両端にコネクタを設けてＬＥＤランプと電源ユニットに対して着脱自在としてもよい。なお、コネクタの相手側にはソケットが設けられている。
【０１０５】
（２）器具側ケーブル
実施形態の器具側ケーブル３１８は電源ユニット３の回路基板３１０に直接接続されている。しかしながら、器具側ケーブルにコネクタを設け、電源ユニットに対して着脱自在に接続するようにしてもよい。
実施形態の器具側ケーブル３１８のコネクタ３１８ａには、引掛刃を備える接続具９７にケーブル９８を介して接続されたソケット９７ａが接続されている。しかしながら、コネクタ３１８ａは、別の接続具にケーブルを介して又は直接接続されたソケットと接続されてもよい。別の接続具の例としては、引掛けシーリングに取付けられ且つベースを着脱自在に装着する照明器具のアダプタがある。なお、これらの接続具の場合、既存の照明器具に備えられているソケットを利用できる。また、別の接続具の例として、常夜灯用のソケットに取り付けられるＥ１２口金タイプがある。Ｅ１２口金タイプの接続具は、既存の照明器具には備えられていない。なお、これらの接続具には商用電源が供給されており、照明器具はＬＥＤランプを取り付ける機能と、電力を供給する機能とを有することになる。
また、器具側ケーブルにおける電源ユニットと反対側の端部に設けられたコネクタは、照明器具を介さずに、直接商用電源に接続されたケーブルに接続されてもよい。器具側ケーブルにおける電源ユニットと反対側の端部にコンセントが設けられ、コンセントが直接商用電源に接続するようにしてもよい。この場合、照明器具はＬＥＤランプを取り付ける機能のみを有することとなる。
【０１０６】
５.固定具
（１）全体
実施形態の固定具５は器具側固定部５０とランプ側固定部５１とを一体で有しているが、例えば、器具側固定部とランプ側固定部とを別体で構成してもよい。
実施形態の固定具５は円筒部分５２にアダプタ７の固定具挿入部７１が挿入可能な構造を有しているが、例えば、円筒部分に固定具挿入部が挿入した状態のものを一体に形成した同一部材として構成してもよい。この場合、器具側固定部は、固定ホルダにも固定可能であり、給電端子にも固定可能となる。
【０１０７】
（２）器具側固定部
実施形態の器具側固定部５０は円筒状をしている。しかしながら、器具側固定部は、照明器具の固定ホルダに固定されればよく、形状・構造を特に限定するものではない。
器具側固定部として、固定ホルダにより外周面が支持される構造の場合、例えば、横断面がＣ字状をしてもよい。なお、横断面がＣ字状は筒軸方向に沿って溝を有する円筒状ともいえる。
器具側固定部として、固定ホルダにより外周面が支持される構造の場合、例えば、六角形等の多角筒状をしてもよいし、円柱状や六角形等の多角柱状をしてもよい。なお、アダプタ７の取り付けを考慮すると、器具側固定部は筒状部分を有する方が好ましい。
【０１０８】
実施形態の器具側固定部５０は照明器具９の固定ホルダ９３により固定されるように構成されている。しかしながら、器具側固定部は、他部材を利用して、固定ホルダに固定されるようにしてもよい。例えば、固定ホルダにより支持される支持部を有し、支持部が固定ホルダから外れないように、例えばＣ字の開口を塞ぐベルト等の他部材を備えてもよい。
【０１０９】
実施形態の器具側固定部５０は固定ホルダ９３により外周面が支持される構造を有していたが、例えば、固定ホルダ９３に引っ掛ける構造の器具側固定部あってもよい。引っ掛る構造（形状）としてはリング状をしたリング部や結束バンド等がある。
【０１１０】
実施形態の器具側固定部５０は円筒部分５２の両端部に鍔部分５３を全周に亘って又は略全周に亘って有している。しかしながら、鍔部分は、固定具がスライドした際に固定ホルダと鍔部分とが当接すればよく、全周に亘って形成されていなくてもよい。なお、この場合、周方向に間隔を置いて径方向に突出する突出部分となる。
【０１１１】
（３）ランプ側固定部
実施形態のランプ側固定部５１は、照明器具９の固定ホルダ９３に似た形状を有している。つまり、ランプ側固定部５１はＣ字部分５４を有している。しかしながら、ランプ側固定部は、ＬＥＤランプを固定できればよく、その形状、構造は特に限定するものではない。
例えば、ランプ側固定部は、全体として「Ｃ」字状をするが、円形状でなく多角形状であってもよいし、ＬＥＤランプを受けるように支持するような形状、例えば、横断面形状が「Ｕ」字状や「Ｌ」字状であってもよい。
また、ランプ側固定部は、「Ｃ」字の一端から線状で延伸し、ＬＥＤランプのバルブ体の外周を経由して「Ｃ」字部分に結束（固定）されるような構造であってもよい。つまり、ランプ側固定部は結束バンドのような形状で構成されてもよい。
【０１１２】
実施形態のランプ側固定部５１はＬＥＤランプ１を固定するように構成されている。しかしながら、ランプ側固定部は、他部材を利用して、ＬＥＤランプを固定するようにしてもよい。例えば、ＬＥＤランプを支持する支持部を有し、支持部からＬＥＤランプが外れないように、例えばＣ字の開口を塞ぐベルト等の他部材を備えてもよい。
【０１１３】
（４）その他
実施形態の固定具５は、丸形スリム蛍光体用の照明器具９に対して、通常の丸形蛍光灯サイズのＬＥＤランプ１を固定するのに利用されている。
しかしながら、通常の丸形の蛍光灯の照明器具に対して、通常の丸形蛍光灯のサイズのＬＥＤランプ１を取り付けてもよい。この場合、照明器具の固定ホルダにＬＥＤランプ１を固定し、固定具５をＬＥＤランプに１に取り付けてもよい。器具側固定部５０が照明器具に当接するように固定具５をＬＥＤランプ１に取り付けることで、ＬＥＤランプ１を安定した状態で既存の照明器具に取り付けることができる。
【０１１４】
６．アダプタ
（１）全体
実施形態のアダプタ７は器具側取付部７０と固定具挿入部７１とを一体で有しているが、例えば器具側取付部と固定具挿入部とを別体で構成してもよい。
【０１１５】
（２）器具側取付部
実施形態の器具側取付部７０は４本の延伸部分７３を有している。しかしながら、延伸部分は、例えば、２本又は３本でもよい。延伸部分が複数本あれば、アダプタが照明器具（給電端子）に対して回転するのを規制できる。
器具側取付部７０は立方体状のベース部分７２と円弧状の膨出部分７４とを有している。しかしながら、器具側取付部は、給電端子に取り付け可能であり、取り付けた状態で押さえ部材により当接されるような構造を有していればよく、その形状等は特に限定するものではない。例えば、ベース部分と膨出部分とに相当する部分の形状を、棒状部分の延伸方向からみると、円柱状やＣ字状としてもよい。但し、照明器具に取り付けられる蛍光灯の口金（受電端子）周辺の形状と一致させる方が、適用性、意匠性は向上する。
実施形態の器具側取付部７０は凹入部分７４ａを４個有しているが、凹入部分は、４個以外であってもよいし、なくても良い。但し、軽量化の観点からは凹入部分がある方が好ましい。また、凹入部分７４ａに代えて例えば溝部分を有してもよい。
【０１１６】
（３）固定具挿入部
実施形態の固定具挿入部７１は全体形状として円柱状の棒状部分７５を有する。固定具挿入部は、固定具の器具側固定部の被挿入部に固定具挿入部を挿入した際に、固定部挿入部と器具側固定部とが当接（押圧）できる形状や構造であればよい。この観点から、棒状部分の形状は、例えば、半円柱状、Ｃ字状等であってもよい。なお、固定具をアダプタに対して位置調整することを考慮すると、棒状部分は円形状の横断面形状を有するのが好ましい。
実施形態の棒状部分７５の中心軸は膨出部分７４の中心軸に対して傾斜している。しかしながら、棒状部分が弾性変形可能であれば傾斜していなくてもよい。
【０１１７】
実施形態の棒状部分７５は溝部分７５ａを有しているが、例えば、外周面に弾性変形可能な凸部を複数個設けてもよい。
実施形態の棒状部分７５は表裏方向の溝部分７５ａを有しているが、表裏方向と直交する方向の溝部分を有してもよい。溝部分７５ａは棒状部分７５の中心軸の両側に設けられているが、弾性変形させる方向が定まっている場合、溝部分を片側だけに設けてもよい。
【符号の説明】
【０１１８】
１    ＬＥＤランプ
３    電源ユニット
９    照明器具
１０１    ＬＥＤ素子
３１７    ランプ側ケーブル
３１８    器具側ケーブル
【図１】
2018195460.tif 000003
【図２】
2018195460.tif 000004
【図３】
2018195460.tif 000005
【図４】
2018195460.tif 000006
【図５】
2018195460.tif 000007
【図６】
2018195460.tif 000008
【図７】
2018195460.tif 000009
【図８】
2018195460.tif 000010
【図９】
2018195460.tif 000011
【図１０】
2018195460.tif 000012
【図１１】
2018195460.tif 000013
【図１２】
2018195460.tif 000014
【図１３】
2018195460.tif 000015
【図１４】
2018195460.tif 000016
【図１５】
2018195460.tif 000017
【図１６】
2018195460.tif 000018
【図１７】
2018195460.tif 000019
【図１８】
2018195460.tif 000020
【図１９】
2018195460.tif 000021
【図２０】
2018195460.tif 000022
【図２１】
2018195460.tif 000023
【図２２】
2018195460.tif 000024
【図２３】
2018195460.tif 000025
【図２４】
2018195460.tif 000026